(57)【要約】【課題】  土台石（１）、腰石（２）、均石（３）、石碑（４）、は従来も何らかの方法で耐震されてきたのですが、土台石（１）とその下の基礎コンクリ−ト（５）との間の耐震は皆無でした。地震時には外柵全体が横揺れそれに上下の揺れが必ず起きるのです。この欠点を無くすのが土台石耐震強化外柵です。【解決手段】  土台石（１）の下に据える基礎土台石（６〜９）を仮に１枚の石にしたとします。その１枚の  石の四隅の一ヶ所が傾き始めたとします。その傾き始めた力は一ヵ所の方向にどんどん傾き始め、それを食い止めることはできないのです。その傾き始めた力を食い止める事が出来るのが、図２のように基礎土台石（６〜９）を１枚の石でなく複数本の石を、据えることによりその傾きかけた力を食い止める事が可能になるのです。【選択図】図２
2012154158.tif 000002
【特許請求の範囲】
【請求項１】
基礎コンクリ−ト（５）、土台石（１）、腰石（２）、均石（３）、石碑（４）、を据えた外柵に於いて土台石（１）、腰石（２）、均石（３）、石碑（４）、の土台石（１）、と基礎コンクリ−ト（５）との  間に基礎土台石（６〜９）を据えて土台石（１）と基礎土台石（６〜９）とを耐震することを特徴とする土台石耐震強化外柵。
【請求項２】
土台石（１）と基礎土台石（６〜９）の石の厚みの比率は、約１：２が適当とすることを特徴とする請求項１の土台石耐震強化外柵
【請求項３】
請求項１において土台石（１）と基礎土台石（６〜９）とを十分な程の接着剤を使用しかつ、Ｌ金具（１０）を使用しボルト止めをし耐震を計ることを特徴とする土台石耐震強化外柵です。
【発明の詳細な説明】
【技術分野】
【０００１】  基礎コンクリ−ト（５）を打った上にモルタルを敷き、土台石を（１）を据えるだけのものでしたが、本発明は、基礎コンクリ−ト（５）と土台石（１）との間に図（２）のように基礎土台石（６〜９）を設置することにより土台石（１）と基礎土台石（６〜９）とを耐震することにより、さらに強い耐震が得られるのです。
【背景技術】
【０００２】  従来は、外柵の土台石（１）とその土台石の下に打つ基礎コンクリ−トとの間の耐震が皆無なので、その皆無を解決することを特徴とする土台石耐震強化外柵です。【０００３】
【特許文献】  特開２００５−３４４４２７  特開２００６−２３３６８２  実用新案登録第３１６０２７２号
【発明が解決しようとする課題】
【０００４】  土台石（１）、腰石（２）、均石（３）、石碑（４）、は従来も何らかの方法で耐震されてきたのですが、土台石（１）とその下の基礎コンクリ−ト（５）との間の耐震は皆無でした。地震  時には外柵全体が横  揺れそれに上下の揺れが必ず起きるのです。この欠点を無くすのが土台石耐震強化外柵です。
【課題を解決するための手段】
【０００５】  土台石（１）の下に据える基礎土台石（６〜９）を仮に１枚の石にしたとします。その１枚の  石の四隅の一ヶ所が傾き始めたとします。その傾き始めた力は一ヵ所の方向にどんどん傾き始め、それを食い止めることはできないのです。その傾き始めた力を食い止める事が出来るのが、図２のように基礎土台石（６〜９）を１枚の石でなく複数本の石を、据えることによりその傾きかけた力を食い止める事が可能になるのです。それは、どう言うことかと言うと、例えば、最悪基礎土台石（６）の一本の石の隅が傾き始めたとします。すると、その対角となる基礎土台石（９）の石の隅が傾き始めた力を吸収、分散してくれるのでその傾きを食い止める事ができるのです。ここで完璧に近い耐震が得られることを特徴とする土台石耐震強化外柵です。
【発明の効果】
【０００６】  土台石（１）とその下の基礎土台石（６〜９）はボンドを十分すぎるほど使用する事による耐震と、Ｌ金具を使い耐震を得られるようにしているのと同時に基礎土台石（６〜９）は一定の間隔を開けて設置しているのです。地震時に基礎土台石（６〜９）の間隔が開いていないと、この基礎土台石（６〜９）が、ぶつかり合って土台石（１）、腰石（２）、均石（３）、そして、石碑（４）をも動かすことになる。土台石（１）の下の面がグランドレベル、基礎土台石（６〜９）の上の面がグランドレベルとなるので基礎土台石（６〜９）は、地中に設置され、それぞれの石は間隔を開けて据え付けられるのです。この間隔が地震のエネルギ−を吸収、分散してくれるのです。どう言う事かと言うと、その間隔は骨材で固めるため地震時に基礎土台石（６〜９）が動こうとしてもその動きは基礎土台石（６〜９）の周囲の骨材が地震のエネルギ−を吸収、分散してくれるのです。そして、図２のように土台石（１）の下の面がグランドレベルになるので基礎土台石（６〜９）は地中に埋まります。この基礎土台石（６〜９）に外柵の重量それに、石碑の重量つまり、ここに、使用されている全ての石の重量が掛かると言うことだけでも耐震になります。基礎土台石（６〜９）自体の重量だけでも耐震になり、この基礎土台石（６〜９）が地上にあるのとは違い地中にあることだけでも耐震になり、さらに、基礎土台石（６〜９）の周囲を骨材で固めるのでより強度な耐震が得られるのです。基礎土台石（６〜９）に耐震を付加することができ斬新な耐震工法を得る事が出来るのです。
【図面の簡単な説明】
【図１】  一般的な外柵と石碑の図面
【図２】  外柵の土台石と基礎土台石
【図３】  石碑
【図４】  祠
【符号の説明】１          土台石
２          腰石
３          均石
４          石碑
５          基礎コンクリ−ト
６〜９      基礎土台石
１０        Ｌ金具
【発明を実施するための形態】
外柵の土台石（１）とその下の基礎コンクリ−ト（５）との間の耐震の皆無は最重要課題です。耐震と言っても何があっても絶対動かない固定耐震でなく柔軟性を帯びた耐震、やはり、耐震で一番大切なことは地震のエネルギ−を吸収、分散してくれることに尽きるとおもいます。そのための一つとして土台石（１）と基礎土台石（６〜９）の接地面に十分すきるほどのボンドを使用するのと耐震のために使用するＬ金具（１０）との併用により柔軟性な耐震となるのです。と共に、土台石（１）と基礎コンクリ−と（５）の間に複数の基礎土台石（６〜９）を据えて耐震につながるのか、なぜ、複数の基礎土台石（６〜９）なのか、墓地の面積に対し１枚の分厚い石では駄目なのか、図２のように土台石（１）の下に据える基礎土台石（６〜９）を仮に１枚の石にしたとします。その、１枚の石の四隅の１ヶ所が傾き始めたとすると、その傾きかけた力は１ヶ所の方向にどんどん傾き始めた、その力を食い止める事はできないのです。その傾きを食い止めるのが、図２の基礎土台石（６〜９）のように複数の石にすることにより食い止める事が可能になるのです。どう言うことかと言うと、例えば、最悪にも基礎土台石（６）の石の四隅の１ヶ所が傾き始めたとします。すると、対角となる基礎土台石（９）が傾き始めた力を吸収、分散してくれることにより、その傾きを食い止めることができるので、ここにほぼ完璧に近い耐震が得られるのです。  土台石（１）と基礎土台石（６〜９）を据えて土台石（１）と基礎土台石（６〜９）とを確り固定させた耐震方法でなく地震の揺れをある程度吸収できるような方法で耐震を計るのです。接着剤を多く使用するほど地震時の左右の揺れ、上下の揺れのエネルギ−を吸収してくれるのです。Ｌ金具（１０）は水平の面と、垂直の面があるのですが、その双方の面に細長い孔が開いているのです。その金具を石に当ててその孔の中央部分ぐらいの所で石に孔を開けその孔にアンカ−ボルトを打ち込み止めるのがベストだと思う。と言うのは、Ｌ金具（１０）の細長い孔の中央部分に孔を開けてボルト止めをするので地震時の上下の揺れ、左右の揺れに対しその細長い孔の範囲内で地震のエネルギ−を吸収、分散してくれる最大の耐震要因となるのです。
【実施例】
【００７】  外柵の工事だけでなく、石碑のみの場合でもカロウトの下に適応できますし、墓地以外の工事にも、例えば、祠の工事、間知の工事にも適応できます。
【図１】
2012154158.tif 000003
【図２】
2012154158.tif 000004
【図３】
2012154158.tif 000005
【図４】
2012154158.tif 000006